(57)【特許請求の範囲】
【請求項１】
スキャン部またはネットワーク通信部から入力された文書を配信する配信部又はファックス送信するファックス送信部と、前記入力された文書に利用制限を付けて蓄積文書として蓄積可能な文書蓄積部とを有する画像形成装置であって、
外部のネットワーク機器から前記文書蓄積部に蓄積された蓄積文書に対する証明情報取得要求を受信する証明情報取得要求受信手段と、
その証明情報取得要求に応じた照合情報及びその照合情報を特定する為の証明情報を対応づけて作成する証明情報作成手段と、
前記照合情報及び前記証明情報を対応づけて保持する保持手段と、
前記証明情報を前記外部のネットワーク機器に送信する証明情報送信手段と、
前記外部のネットワーク機器から前記証明情報を利用した蓄積文書出力要求を受信する蓄積文書出力要求受信手段と、
前記蓄積文書出力要求が利用する前記証明情報に対応付けられた前記照合情報を前記保持手段から取得し、その照合情報に応じた蓄積文書識別情報を取得する蓄積文書識別情報取得手段と、
前記蓄積文書識別情報に応じた蓄積文書を前記文書蓄積部から取得して前記配信部で配信又はファックス送信部でファックス送信する蓄積文書出力手段と
を有することを特徴とする画像形成装置。
【請求項２】
前記証明情報作成手段は、前記証明情報の識別子および前記蓄積文書の識別子を含むように前記照合情報を生成することで、前記証明情報取得要求に応じた照合情報およびその照合情報を特定する為の証明情報を対応付けることを特徴とする請求項１記載の画像形成装置。
【請求項３】
前記証明情報作成手段は、前記証明情報の識別子，前記蓄積文書の識別子及び前記蓄積文書の使用権限を証明する暗証情報を含むように前記照合情報を生成することを特徴とする請求項２記載の画像形成装置。
【請求項４】
スキャン部またはネットワーク通信部から入力された文書を配信する配信部又はファックス送信するファックス送信部と、前記入力された文書に利用制限をつけて蓄積文書として蓄積可能な文書蓄積部とを有する画像形成装置であって、
外部のネットワーク機器から前記文書蓄積手段に蓄積された蓄積文書に対する証明情報取得要求を受信する証明情報取得要求受信手段と、
その証明情報取得要求に応じた照合情報及びその照合情報を特定する為の証明情報を対応づけて作成する証明情報作成手段と、
前記照合情報及び前記証明情報を対応づけて保持する第１の保持手段と、
前記証明情報およびセッション情報を対応付けて保持する第２の保持手段と、
前記セッション情報を前記外部のネットワーク機器に送信するセッション情報送信手段と、
前記外部のネットワーク機器から前記セッション情報を利用した蓄積文書出力要求を受信する蓄積文書出力要求受信手段と、
前記蓄積文書出力要求が利用する前記セッション情報に対応付けられた前記証明情報を前記第２の保持手段から取得し、前記証明情報に対応付けられた前記照合情報を前記第１の保持手段から取得し、その照合情報に応じた蓄積文書識別情報を取得する蓄積文書識別情報取得手段と、
前記蓄積文書識別情報に応じた蓄積文書を前記文書蓄積部から取得して前記配信部で配信又はファックス送信部でファックス送信する蓄積文書出力手段と
を有することを特徴とする画像形成装置。
【請求項５】
スキャン部またはネットワーク通信部から入力された文書を配信する配信部又はファックス送信するファックス送信部と、前記入力された文書に利用制限をつけて蓄積文書として蓄積可能な文書蓄積部とを有する画像形成装置であって、
外部のネットワーク機器から前記文書蓄積手段に蓄積された蓄積文書に対する証明情報取得要求を受信する証明情報取得要求受信手段と、
その証明情報取得要求に応じた照合情報及びその照合情報を特定する為の証明情報を対応づけて作成する証明情報作成手段と、
前記照合情報，前記証明情報及びセッション情報を対応づけて保持する保持手段と、
前記証明情報及びセッション情報を前記外部のネットワーク機器に送信するセッション情報送信手段と、
前記外部のネットワーク機器から前記証明情報及びセッション情報を利用した蓄積文書出力要求を受信する蓄積文書出力要求受信手段と、
前記蓄積文書出力要求が利用する前記証明情報及びセッション情報に対応付けられた前記照合情報を前記保持手段から取得し、その照合情報に応じた蓄積文書識別情報を取得する蓄積文書識別情報取得手段と、
前記蓄積文書識別情報に応じた蓄積文書を前記文書蓄積部から取得して前記配信部で配信又はファックス送信部でファックス送信する蓄積文書出力手段と
を有することを特徴とする画像形成装置。
【請求項６】
スキャン部またはネットワーク通信部から入力された文書を配信する配信部又はファックス送信するファックス送信部と、前記入力された文書に利用制限を付けて蓄積文書として蓄積可能な文書蓄積部とを有する画像形成装置の蓄積文書出力方法であって、
外部のネットワーク機器から前記文書蓄積部に蓄積された蓄積文書に対する証明情報取得要求を受信する証明情報取得要求受信ステップと、
その証明情報取得要求に応じた照合情報及びその照合情報を特定する為の証明情報を対応づけて作成する証明情報作成ステップと、
前記照合情報及び前記証明情報を対応づけて保持する保持ステップと、
前記証明情報を前記外部のネットワーク機器に送信する証明情報送信ステップと、
前記外部のネットワーク機器から前記証明情報を利用した蓄積文書出力要求を受信する蓄積文書出力要求受信ステップと、
前記蓄積文書出力要求が利用する前記証明情報に対応付けられた前記照合情報を前記保持手段から取得し、その照合情報に応じた蓄積文書識別情報を取得する蓄積文書識別情報取得ステップと、
前記蓄積文書識別情報に応じた蓄積文書を前記文書蓄積部から取得して前記配信部で配信又はファックス送信部でファックス送信する蓄積文書出力ステップと
を有することを特徴とする蓄積文書出力方法。
【請求項７】
スキャン部またはネットワーク通信部から入力された文書を配信する配信部又はファックス送信するファックス送信部と、前記入力された文書に利用制限をつけて蓄積文書として蓄積可能な文書蓄積部とを有する画像形成装置の蓄積文書出力方法であって、
外部のネットワーク機器から前記文書蓄積手段に蓄積された蓄積文書に対する証明情報取得要求を受信する証明情報取得要求受信ステップと、
その証明情報取得要求に応じた照合情報及びその照合情報を特定する為の証明情報を対応づけて作成する証明情報作成ステップと、
前記照合情報及び前記証明情報を対応づけて保持する第１の保持ステップと、
前記証明情報およびセッション情報を対応付けて保持する第２の保持ステップと、
前記セッション情報を前記外部のネットワーク機器に送信するセッション情報送信ステップと、
前記外部のネットワーク機器から前記セッション情報を利用した蓄積文書出力要求を受信する蓄積文書出力要求受信ステップと、
前記蓄積文書出力要求が利用する前記セッション情報に対応付けられた前記証明情報を前記第２の保持手段から取得し、前記証明情報に対応付けられた前記照合情報を前記第１の保持手段から取得し、その照合情報に応じた蓄積文書識別情報を取得する蓄積文書識別情報取得ステップと、
前記蓄積文書識別情報に応じた蓄積文書を前記文書蓄積部から取得して前記配信部で配信又はファックス送信部でファックス送信する蓄積文書出力ステップと
を有することを特徴とする蓄積文書出力方法。
【請求項８】
スキャン部またはネットワーク通信部から入力された文書を配信する配信部又はファックス送信するファックス送信部と、前記入力された文書に利用制限をつけて蓄積文書として蓄積可能な文書蓄積部とを有する画像形成装置の蓄積文書出力方法であって、
外部のネットワーク機器から前記文書蓄積手段に蓄積された蓄積文書に対する証明情報取得要求を受信する証明情報取得要求受信ステップと、
その証明情報取得要求に応じた照合情報及びその照合情報を特定する為の証明情報を対応づけて作成する証明情報作成ステップと、
前記照合情報，前記証明情報及びセッション情報を対応づけて保持する保持ステップと、
前記証明情報及びセッション情報を前記外部のネットワーク機器に送信するセッション情報送信ステップと、
前記外部のネットワーク機器から前記証明情報及びセッション情報を利用した蓄積文書出力要求を受信する蓄積文書出力要求受信ステップと、
前記蓄積文書出力要求が利用する前記証明情報及びセッション情報に対応付けられた前記照合情報を前記保持手段から取得し、その照合情報に応じた蓄積文書識別情報を取得する蓄積文書識別情報取得ステップと、
前記蓄積文書識別情報に応じた蓄積文書を前記文書蓄積部から取得して前記配信部で配信又はファックス送信部でファックス送信する蓄積文書出力ステップと
を有することを特徴とする蓄積文書出力方法。
【請求項９】
１つ以上の外部のネットワーク機器と、前記外部のネットワーク機器にネットワークを介して接続された画像形成装置とを用いて、前記画像形成装置の文書蓄積部に蓄積された蓄積文書を配信又はファックス送信する蓄積文書出力システムであって、
前記画像形成装置は、スキャン部またはネットワーク通信部から入力された文書を配信する配信部又はファックス送信するファックス送信部と、
前記入力された文書に利用制限を付けて蓄積文書として蓄積可能な文書蓄積部と、
外部のネットワーク機器から前記文書蓄積部に蓄積された蓄積文書に対する証明情報取得要求を受信する証明情報取得要求受信手段と、
その証明情報取得要求に応じた照合情報及びその照合情報を特定する為の証明情報を対応づけて作成する証明情報作成手段と、
前記照合情報及び前記証明情報を対応づけて保持する保持手段と、
前記証明情報を前記外部のネットワーク機器に送信する証明情報送信手段と、
前記外部のネットワーク機器から前記証明情報を利用した蓄積文書出力要求を受信する蓄積文書出力要求受信手段と、
前記蓄積文書出力要求が利用する前記証明情報に対応付けられた前記照合情報を前記保持手段から取得し、その照合情報に応じた蓄積文書識別情報を取得する蓄積文書識別情報取得手段と、
前記蓄積文書識別情報に応じた蓄積文書を前記文書蓄積部から取得して前記配信部で配信又はファックス送信部でファックス送信する蓄積文書出力手段と
を有することを特徴とする蓄積文書出力システム。
【請求項１０】
１つ以上の外部のネットワーク機器と、前記外部のネットワーク機器にネットワークを介して接続された画像形成装置とを用いて、前記画像形成装置の文書蓄積部に蓄積された蓄積文書を配信又はファックス送信する蓄積文書出力システムであって、
前記画像形成装置は、スキャン部またはネットワーク通信部から入力された文書を配信する配信部又はファックス送信するファックス送信部と、
前記入力された文書に利用制限をつけて蓄積文書として蓄積可能な文書蓄積部と、
外部のネットワーク機器から前記文書蓄積手段に蓄積された蓄積文書に対する証明情報取得要求を受信する証明情報取得要求受信手段と、
その証明情報取得要求に応じた照合情報及びその照合情報を特定する為の証明情報を対応づけて作成する証明情報作成手段と、
前記照合情報及び前記証明情報を対応づけて保持する第１の保持手段と、
前記証明情報およびセッション情報を対応付けて保持する第２の保持手段と、
前記セッション情報を前記外部のネットワーク機器に送信するセッション情報送信手段と、
前記外部のネットワーク機器から前記セッション情報を利用した蓄積文書出力要求を受信する蓄積文書出力要求受信手段と、
前記蓄積文書出力要求が利用する前記セッション情報に対応付けられた前記証明情報を前記第２の保持手段から取得し、前記証明情報に対応付けられた前記照合情報を前記第１の保持手段から取得し、その照合情報に応じた蓄積文書識別情報を取得する蓄積文書識別情報取得手段と、
前記蓄積文書識別情報に応じた蓄積文書を前記文書蓄積部から取得して前記配信部で配信又はファックス送信部でファックス送信する蓄積文書出力手段と
を有することを特徴とする蓄積文書出力システム。
【請求項１１】
１つ以上の外部のネットワーク機器と、前記外部のネットワーク機器にネットワークを介して接続された画像形成装置とを用いて、前記画像形成装置の文書蓄積部に蓄積された蓄積文書を配信又はファックス送信する蓄積文書出力システムであって、
前記画像形成装置は、スキャン部またはネットワーク通信部から入力された文書を配信する配信部又はファックス送信するファックス送信部と、
前記入力された文書に利用制限をつけて蓄積文書として蓄積可能な文書蓄積部と、
外部のネットワーク機器から前記文書蓄積手段に蓄積された蓄積文書に対する証明情報取得要求を受信する証明情報取得要求受信手段と、
その証明情報取得要求に応じた照合情報及びその照合情報を特定する為の証明情報を対応づけて作成する証明情報作成手段と、
前記照合情報，前記証明情報及びセッション情報を対応づけて保持する保持手段と、
前記証明情報及びセッション情報を前記外部のネットワーク機器に送信するセッション情報送信手段と、
前記外部のネットワーク機器から前記証明情報及びセッション情報を利用した蓄積文書出力要求を受信する蓄積文書出力要求受信手段と、
前記蓄積文書出力要求が利用する前記証明情報及びセッション情報に対応付けられた前記照合情報を前記保持手段から取得し、その照合情報に応じた蓄積文書識別情報を取得する蓄積文書識別情報取得手段と、
前記蓄積文書識別情報に応じた蓄積文書を前記文書蓄積部から取得して前記配信部で配信又はファックス送信部でファックス送信する蓄積文書出力手段と
を有することを特徴とする蓄積文書出力システム。
【発明の詳細な説明】
【０００１】
【発明の属する技術分野】
本発明は、画像形成装置，蓄積文書出力方法および蓄積文書出力システムに係り、特に外部のネットワーク機器からの要求に応じて蓄積文書を出力するための画像形成装置，蓄積文書出力方法および蓄積文書出力システムに関する。
【０００２】
【従来の技術】
近年、プリンタ，コピー，ファクシミリおよびスキャナなどの各装置の機能を１つの筐体内に収納した画像形成装置（以下、融合機という）が知られるようになった。この融合機は、１つの筐体内に表示部，印刷部および撮像部などを設けると共に、プリンタ，コピー，ファクシミリおよびスキャナにそれぞれ対応する４種類のソフトウェアを設け、そのソフトウェアを切り替えることより、プリンタ，コピー，ファクシミリおよびスキャナとして動作させるものである。特許文献１には、上記のような融合機の一例が記載されている。
【０００３】
このような融合機は、例えば文書管理データベース（以下、文書管理ＤＢという）に文書ファイルを蓄積文書として格納している。融合機はネットワーク機器や他の融合機などにネットワークを介して接続され、ネットワーク機器などからの指示により文書管理ＤＢに格納している蓄積文書の出力を行う。例えば融合機は出力機能（印刷機能など）を利用して、文書管理ＤＢに格納している蓄積文書の出力を行う。なお、セキュリティ上の問題に対応するため、融合機は文書管理ＤＢに格納している蓄積文書にパスワードを設定することが多い。
【０００４】
例えば融合機の文書管理ＤＢに格納されている蓄積文書を出力する場合、ネットワーク機器は所望の蓄積文書を識別するための文書ＩＤおよびその蓄積文書の使用権限を証明するパスワードを融合機に送信する。融合機はパスワード認証を行った後に、文書ＩＤに対応する蓄積文書を文書管理ＤＢから読み出し、その蓄積文書を出力する。
【０００５】
【特許文献１】
特開２００２−８４３８３号公報
【０００６】
【発明が解決しようとする課題】
しかしながら、従来の融合機は蓄積文書の出力要求，転送要求の他、蓄積文書に関する様々な処理要求をネットワーク機器や他の融合機から受信する。このため、融合機は蓄積文書に関する様々な処理要求に応じたユーザサービスのプロセスが設けられている。
【０００７】
したがって、蓄積文書にパスワードが設定されている場合、蓄積文書に関する様々な処理要求に応じたユーザサービスのプロセスごとにパスワード認証の機能を設ける必要があり、機能が重複するという問題があった。
【０００８】
また、融合機は文書管理ＤＢから読み出した蓄積文書を複数のユーザサービスのプロセスで取り扱う場合、読み出した蓄積文書をそのままユーザサービスのプロセス間で転送する。したがって、融合機のリソースを無駄に浪費しているという問題があった。
【０００９】
本発明は、上記の点に鑑みなされたもので、蓄積文書に対する認証機能を共有することができ、リソースを浪費することなく蓄積文書の出力が可能な画像形成装置，蓄積文書出力方法および蓄積文書出力システムを提供することを目的とする。
【００１０】
【課題を解決するための手段】
そこで、上記課題を解決するため、本発明は、文書蓄積手段に蓄積された蓄積文書をユーザからの要求に応じて出力する画像形成装置であって、外部のネットワーク機器から前記文書蓄積手段に蓄積された蓄積文書に対する証明情報取得要求を受信し、その証明情報取得要求に応じた証明情報を生成して前記外部のネットワーク機器に供給する文書管理サービスと、前記外部のネットワーク機器から証明情報を利用した蓄積文書出力要求を受信し、その証明情報に応じた蓄積文書を前記文書蓄積手段から取得して出力する文書出力サービスとを有することを特徴とする。
【００１１】
また、本発明は、文書蓄積手段に蓄積された蓄積文書をユーザからの要求に応じて出力する画像形成装置であって、外部のネットワーク機器から前記文書蓄積手段に蓄積された蓄積文書に対する証明情報取得要求を受信し、その証明情報取得要求に応じた証明情報および第１のセッションのセッション情報を生成して前記外部のネットワーク機器との間で確立された第２のセッションのセッション情報と対応付け、前記外部のネットワーク機器に第２のセッションのセッション情報を供給する文書管理サービスと、前記外部のネットワーク機器から第２のセッションのセッション情報を利用した蓄積文書出力要求を受信し、その第２のセッションのセッション情報に対応付けられた証明情報および第１のセッションのセッション情報を特定し、その証明情報および第１のセッションのセッション情報に応じた蓄積文書を前記文書蓄積手段から取得して出力する文書出力サービスとを有することを特徴とする。
【００１２】
また、本発明は、文書蓄積手段に蓄積された蓄積文書をユーザからの要求に応じて出力する画像形成装置であって、外部のネットワーク機器から前記文書蓄積手段に蓄積された蓄積文書に対する証明情報取得要求を受信し、その証明情報取得要求に応じた証明情報および第１のセッションのセッション情報を生成して、前記外部のネットワーク機器に証明情報および第１のセッションのセッション情報を供給する文書管理サービスと、前記外部のネットワーク機器から証明情報および第１のセッションのセッション情報を利用した蓄積文書出力要求を受信し、その証明情報および第１のセッションのセッション情報に応じた蓄積文書を前記文書蓄積手段から取得して出力する文書出力サービスとを有することを特徴とする。
【００１３】
また、本発明は、文書蓄積手段に蓄積された蓄積文書をユーザからの要求に応じて出力する画像形成装置の蓄積文書出力方法であって、外部のネットワーク機器から前記文書蓄積手段に蓄積された蓄積文書に対する証明情報取得要求を受信し、その証明情報取得要求に応じた証明情報を生成して前記外部のネットワーク機器に供給する段階と、前記外部のネットワーク機器から証明情報を利用した蓄積文書出力要求を受信し、その証明情報に応じた蓄積文書を前記文書蓄積手段から取得して出力する段階とを有することを特徴とする。
【００１４】
また、本発明は、文書蓄積手段に蓄積された蓄積文書をユーザからの要求に応じて出力する画像形成装置の蓄積文書出力方法であって、外部のネットワーク機器から前記文書蓄積手段に蓄積された蓄積文書に対する証明情報取得要求を受信し、その証明情報取得要求に応じた証明情報および第１のセッションのセッションを生成して前記外部のネットワーク機器との間で確立された第２のセッションのセッション情報と対応付け、前記外部のネットワーク機器に第２のセッションのセッション情報を前記外部のネットワーク機器に供給する段階と、前記外部のネットワーク機器から第２のセッションのセッション情報を利用した蓄積文書出力要求を受信し、その第２のセッションのセッション情報に対応付けられた証明情報および第１のセッションのセッション情報を特定し、その証明情報および第１のセッションのセッション情報に応じた蓄積文書を前記文書蓄積手段から取得して出力する段階とを有することを特徴とする。
【００１５】
また、本発明は、文書蓄積手段に蓄積された蓄積文書をユーザからの要求に応じて出力する画像形成装置の蓄積文書出力方法であって、外部のネットワーク機器から前記文書蓄積手段に蓄積された蓄積文書に対する証明情報取得要求を受信し、その証明情報取得要求に応じた証明情報および第１のセッションのセッション情報を生成して、前記外部のネットワーク機器に証明情報および第１のセッションのセッション情報を供給する段階と、前記外部のネットワーク機器から証明情報および第１のセッションのセッション情報を利用した蓄積文書出力要求を受信し、その証明情報および第１のセッションのセッション情報に応じた蓄積文書を前記文書蓄積手段から取得して出力する段階とを有することを特徴とする。
【００１６】
また、本発明は、１つ以上の外部のネットワーク機器と、前記外部のネットワーク機器にネットワークを介して接続された画像形成装置とを用いて、前記画像形成装置の文書蓄積手段に蓄積された蓄積文書を出力する蓄積文書出力システムであって、前記画像形成装置は、外部のネットワーク機器から前記文書蓄積手段に蓄積された蓄積文書に対する証明情報取得要求を受信し、その証明情報取得要求に応じた証明情報を生成して前記外部のネットワーク機器に供給する文書管理サービスと、前記外部のネットワーク機器から証明情報を利用した蓄積文書出力要求を受信し、その証明情報に応じた蓄積文書を前記文書蓄積手段から取得して出力する文書出力サービスとを有することを特徴とする。
【００１７】
また、本発明は、１つ以上の外部のネットワーク機器と、前記外部のネットワーク機器にネットワークを介して接続された画像形成装置とを用いて、前記画像形成装置の文書蓄積手段に蓄積された蓄積文書を出力する蓄積文書出力システムであって、前記画像形成装置は、外部のネットワーク機器から前記文書蓄積手段に蓄積された蓄積文書に対する証明情報取得要求を受信し、その証明情報取得要求に応じた証明情報および第１のセッションのセッションを生成して前記外部のネットワーク機器との間で確立された第２のセッションのセッション情報と対応付け、前記外部のネットワーク機器に第２のセッションのセッション情報を前記外部のネットワーク機器に供給する文書管理サービスと、前記外部のネットワーク機器から第２のセッションのセッション情報を利用した蓄積文書出力要求を受信し、その第２のセッションのセッション情報に対応付けられた証明情報および第１のセッションのセッション情報を特定し、その証明情報および第１のセッションのセッション情報に応じた蓄積文書を前記文書蓄積手段から取得して出力する文書出力サービスとを有することを特徴とする。
【００１８】
また、本発明は、１つ以上の外部のネットワーク機器と、前記外部のネットワーク機器にネットワークを介して接続された画像形成装置とを用いて、前記画像形成装置の文書蓄積手段に蓄積された蓄積文書を出力する蓄積文書出力システムであって、前記画像形成装置は、外部のネットワーク機器から前記文書蓄積手段に蓄積された蓄積文書に対する証明情報取得要求を受信し、その証明情報取得要求に応じた証明情報および第１のセッションのセッション情報を生成して、前記外部のネットワーク機器に証明情報および第１のセッションのセッション情報を供給する文書管理サービスと、前記外部のネットワーク機器から証明情報および第１のセッションのセッション情報を利用した蓄積文書出力要求を受信し、その証明情報および第１のセッションのセッション情報に応じた蓄積文書を前記文書蓄積手段から取得して出力する文書出力サービスとを有することを特徴とする。
【００１９】
本発明によれば、文書管理サービスが証明情報を生成し、その証明情報を用いることにより、蓄積文書に対する認証機能を共有できる。また、証明情報を用いることで、画像形成装置のユーザサービス間で無駄に蓄積文書を転送させる必要がなくなるため、画像形成装置のリソースを浪費することなく蓄積情報の出力が可能となる。
【００２０】
【発明の実施の形態】
次に、本発明の実施の形態について図面に基づいて説明する。
【００２１】
図１は、本発明による融合機の一実施例の構成図を示す。融合機１は、ソフトウェア群２と，融合機起動部３と，ハードウェア資源４とを含むように構成される。
【００２２】
融合機起動部３は融合機１の電源投入時に最初に実行され、アプリケーション層５およびプラットフォーム６を起動する。例えば融合機起動部３は、アプリケーション層５およびプラットフォーム６のプログラムをハードディスク装置（以下、ＨＤＤという）などから読み出し、読み出した各プログラムをメモリ領域に転送して起動する。ハードウェア資源４は、白黒レーザプリンタ（Ｂ＆Ｗ  ＬＰ）１１と，カラーレーザプリンタ（Ｃｏｌｏｒ  ＬＰ）１２と，スキャナやファクシミリなどのハードウェアリソース１３とを含む。
【００２３】
また、ソフトウェア群２は、ＵＮＩＸ（登録商標）などのオペレーティングシステム（以下、ＯＳという）上に起動されているアプリケーション層５とプラットフォーム６とを含む。アプリケーション層５は、プリンタ，コピー，ファックスおよびスキャナなどの画像形成にかかるユーザサービスにそれぞれ固有の処理を行うプログラムを含む。
【００２４】
アプリケーション層５は、プリンタ用のアプリケーションであるプリンタアプリ２１と，コピー用アプリケーションであるコピーアプリ２２と，ファックス用アプリケーションであるファックスアプリ２３と，スキャナ用アプリケーションであるスキャナアプリ２４と，ＷＥＢページ用アプリケーションであるＷＥＢページアプリ２５と，シンプル・オブジェクト・アクセス・プロトコル（以下、ＳＯＡＰという）通信用アプリケーションであるＳＯＡＰ通信アプリ２６と，１つ以上の共有ファンクション（以下、ＳＦという）２８からなる共有ファンクション層７と，ＷＥＢページアプリ２５及びＳＯＡＰ通信アプリ２６とＳＦ２８との間に設けられたＷＥＢサービスファンクション（以下、ＷＳＦという）２７からなるラッピング層８とを含む。
【００２５】
ＷＳＦ２７は、予め定義されている関数によりＷＥＢページアプリ２５およびＳＯＡＰ通信アプリ２６からの処理要求を受信可能とするアプリケーションプログラムインターフェース（以下、ＡＰＩという）５１を有する。また、ＳＦ２８は予め定義されている関数によりＷＳＦ２７からの処理要求を受信可能とするＡＰＩ５２を有する。
【００２６】
ＷＳＦ２７はＡＰＩ５１を介してＷＥＢページアプリ２５およびＳＯＡＰ通信アプリ２６からの処理要求を受信すると、その処理要求に応じてＳＦ２８を選択する。ＷＳＦ２７はＡＰＩ５１を介して受信した処理要求を、その処理要求に応じて選択したＳＦ２８にＡＰＩ５２を介して送信する。ＳＦ２８はＡＰＩ５２を介して処理要求を受信すると、その処理要求に応じた処理を行う。
【００２７】
例えば図１の融合機１は２つのＳＦ２８を含んでいるが、一方のＳＦ２８が後述する文書管理サービス１４３の処理を行い、他方のＳＦ２８が後述する文書出力サービス１４４の処理を行う。
【００２８】
また、プラットフォーム６は、アプリケーション層５からの処理要求を解釈してハードウェア資源４の獲得要求を発生するコントロールサービス層９と、１つ以上のハードウェア資源４の管理を行ってコントロールサービス層９からの獲得要求を調停するシステムリソースマネージャ（以下、ＳＲＭという）３９と、ＳＲＭ３９からの獲得要求に応じてハードウェア資源４の管理を行うハンドラ層１０とを含む。
【００２９】
コントロールサービス層９は、ネットワークコントロールサービス（以下、ＮＣＳという）３１，デリバリーコントロールサービス（以下、ＤＣＳという）３２，オペレーションパネルコントロールサービス（以下、ＯＣＳという）３３，ファックスコントロールサービス（以下、ＦＣＳという）３４，エンジンコントロールサービス（以下、ＥＣＳという）３５，メモリコントロールサービス（以下、ＭＣＳという）３６，ユーザインフォメーションコントロールサービス（以下、ＵＣＳという）３７，システムコントロールサービス（以下、ＳＣＳという）３８など、一つ以上のサービスモジュールを含むように構成されている。
【００３０】
なお、プラットフォーム６は予め定義されている関数により、アプリケーション層５からの処理要求を受信可能とするＡＰＩ５３を有するように構成されている。ＯＳは、アプリケーション層５およびプラットフォーム６の各ソフトウェアをプロセスとして並列実行する。
【００３１】
ＮＣＳ３１のプロセスは、ネットワークＩ／Ｏを必要とするアプリケーションに対して共通に利用できるサービスを提供するものであり、ネットワーク側から各プロトコルによって受信したデータを各アプリケーションに振り分けたり、各アプリケーションからのデータをネットワーク側に送信する際の仲介を行う。
【００３２】
例えばＮＣＳ３１は、ネットワークを介して接続されるネットワーク機器とのデータ通信をｈｔｔｐｄ（HyperText Transfer Protocol Daemon）により、ＨＴＴＰ（HyperText Transfer Protocol）で制御する。
【００３３】
ＤＣＳ３２のプロセスは、蓄積文書の配信などの制御を行う。ＯＣＳ３３のプロセスは、オペレータと本体制御との間の情報伝達手段となるオペレーションパネルの制御を行う。ＦＣＳ３４のプロセスは、アプリケーション層５からＰＳＴＮまたはＩＳＤＮ網を利用したファックス送受信，バックアップ用のメモリで管理されている各種ファックスデータの登録／引用，ファックス読み取り，ファックス受信印刷などを行うためのＡＰＩを提供する。
【００３４】
ＥＣＳ３５のプロセスは、白黒レーザプリンタ１１，カラーレーザプリンタ１２，ハードウェアリソース１３などのエンジン部の制御を行う。ＭＣＳ３６のプロセスは、メモリの取得および解放，ＨＤＤの利用，画像データの圧縮および伸張などのメモリ制御を行う。ＵＣＳ３７は、ユーザ情報の管理を行う。
【００３５】
ＳＣＳ３８のプロセスは、アプリケーション管理，操作部制御，システム画面表示，ＬＥＤ表示，ハードウェア資源管理，割り込みアプリケーション制御などの処理を行う。
【００３６】
ＳＲＭ３９のプロセスは、ＳＣＳ３８と共にシステムの制御およびハードウェア資源４の管理を行うものである。例えばＳＲＭ３９のプロセスは、白黒レーザプリンタ１１やカラーレーザプリンタ１２などのハードウェア資源４を利用する上位層からの獲得要求に従って調停を行い、実行制御する。
【００３７】
具体的に、ＳＲＭ３９のプロセスは獲得要求されたハードウェア資源４が利用可能であるか（他の獲得要求により利用されていないかどうか）を判定し、利用可能であれば獲得要求されたハードウェア資源４が利用可能である旨を上位層に通知する。また、ＳＲＭ３９のプロセスは上位層からの獲得要求に対してハードウェア資源４を利用するためのスケジューリングを行い、要求内容（例えば、プリンタエンジンによる紙搬送と作像動作，メモリ確保，ファイル生成など）を直接実施している。
【００３８】
また、ハンドラ層１０は後述するファックスコントロールユニット（以下、ＦＣＵという）の管理を行うファックスコントロールユニットハンドラ（以下、ＦＣＵＨという）４０と、プロセスに対するメモリの割り振り及びプロセスに割り振ったメモリの管理を行うイメージメモリハンドラ（以下、ＩＭＨという）４１とを含む。ＳＲＭ３９およびＦＣＵＨ４０は、予め定義されている関数によりハードウェア資源４に対する処理要求を送信可能とするエンジンＩ／Ｆ５４を利用して、ハードウェア資源４に対する処理要求を行う。
【００３９】
融合機１は、各アプリケーションで共通的に必要な処理をプラットフォーム６で一元的に処理することができる。次に、融合機１のハードウェア構成について説明する。
【００４０】
図２は、本発明による融合機の一実施例のハードウェア構成図を示す。融合機１は、コントローラ６０と，オペレーションパネル８０と，ＦＣＵ８１と，エンジン部８２と，プロッタ８３とを含む。
【００４１】
また、コントローラ６０は、ＣＰＵ６１と，システムメモリ６２と，ノースブリッジ（以下、ＮＢという）６３と，サウスブリッジ（以下、ＳＢという）６４と，ＡＳＩＣ６６と，ローカルメモリ６７と，ＨＤＤ６８と，ネットワークインターフェースコントローラ（以下、ＮＩＣという）６９と，ＵＳＢデバイス７０と，ＩＥＥＥ１３９４デバイス７１と，セントロニクス７２とを含む。
【００４２】
オペレーションパネル８０は、コントローラ６０のＡＳＩＣ６６に接続されている。また、ＦＣＵ８１，エンジン部８２およびプロッタ８３は、コントローラ６０のＡＳＩＣ６６にＰＣＩバス８４で接続されている。
【００４３】
コントローラ６０は、ＡＳＩＣ６６にローカルメモリ６７，ＨＤＤ６８などが接続されると共に、ＣＰＵ６１とＡＳＩＣ６６とがＣＰＵチップセットのＮＢ６３を介して接続されている。このように、ＮＢ６３を介してＣＰＵ６１とＡＳＩＣ６６とを接続すれば、ＣＰＵ６１のインターフェースが公開されていない場合に対応できる。
【００４４】
なお、ＡＳＩＣ６６とＮＢ６３とはＰＣＩバスを介して接続されているのでなく、ＡＧＰ（Accelerated Graphics Port ）６５を介して接続されている。このように、図１のアプリケーション層５やプラットフォーム６を形成する一つ以上のプロセスを実行制御するため、ＡＳＩＣ６６とＮＢ６３とを低速のＰＣＩバスでなくＡＧＰ６５を介して接続し、パフォーマンスの低下を防いでいる。
【００４５】
ＣＰＵ６１は、融合機１の全体制御を行うものである。ＣＰＵ６１は、ＮＣＳ３１，ＤＣＳ３２，ＯＣＳ３３，ＦＣＳ３４，ＥＣＳ３５，ＭＣＳ３６，ＵＣＳ３７，ＳＣＳ３８，ＳＲＭ３９，ＦＣＵＨ４０およびＩＭＨ４１をＯＳ上にそれぞれプロセスとして起動して実行させると共に、アプリケーション層５を形成するプリンタアプリ２１，コピーアプリ２２，ファックスアプリ２３，スキャナアプリ２４，ＷＥＢページアプリ２５，ＳＯＡＰ通信アプリ２６，ＷＳＦ２７およびＳＦ２８を起動して実行させる。
【００４６】
ＮＢ６３は、ＣＰＵ６１，システムメモリ６２，ＳＢ６４，ＡＳＩＣ６６，ＮＩＣ６９，ＵＳＢデバイス７０，ＩＥＥＥ１３９４デバイス７１およびセントロニクス７２を接続するためのブリッジである。ＳＢ６４，ＮＩＣ６９，ＵＳＢデバイス７０，ＩＥＥＥ１３９４デバイス７１およびセントロニクス７２は、ＰＣＩバス７３を介してＮＢ６３に接続されている。なお、ＳＢ６４は、ＮＢ６３とＲＯＭ，ＰＣＩバス，周辺デバイスとを接続するためのブリッジである。
【００４７】
システムメモリ６２は、融合機１の描画用メモリなどとして用いるメモリである。また、ローカルメモリ６７はコピー用画像バッファ，符号バッファとして用いるメモリである。
【００４８】
ＡＳＩＣ６６は、画像処理用のハードウェア要素を有する画像処理用途向けのＩＣである。ＨＤＤ６８は、画像データの蓄積，文書データの蓄積，プログラムの蓄積，フォントデータの蓄積，フォームの蓄積などを行うためのストレージである。また、オペレーションパネル８０は、オペレータからの入力操作を受け付けると共に、オペレータに向けた表示を行う操作部である。
【００４９】
ＮＩＣ６９は、融合機１をネットワークに接続するためのインターフェース機器である。ＵＳＢデバイス７０，ＩＥＥＥ１３９４デバイス７１およびセントロニクス７２は、夫々の規格に準じたインターフェースである。なお、ＦＣＵ８１はメモリを有している。ＦＣＵ８１が有するメモリは、例えば融合機１の電源がＯＦＦのときに受信したファクシミリデータを一時的に格納するために利用される。
【００５０】
以下、融合機１により実現される蓄積文書出力方法について図面を参照しつつ順次説明していく。図３は、本発明による第１実施例の蓄積文書出力方法について説明するための融合機の機能構成図を示す。なお、図３の機能構成図は説明に必要のない機能構成を省略している。
【００５１】
図３に表されるように、本発明の蓄積文書出力方法は融合機１にインターネットなどのネットワーク１３０を介して接続されるネットワーク機器１２０が、融合機１に蓄積されている文書ファイル（以下、蓄積文書という）を融合機１に出力（例えば、印刷など）させるためのものである。
【００５２】
ネットワーク機器１２０と融合機１の文書管理サービス１４３および文書出力サービス１４４とは、ＸＭＬ（eXtensible Markup Language）形式でデータ交換を行う。また、データ・アクセス・プロトコルとしてＳＯＡＰ（Simple Object Access Protocol）と呼ばれる通信プロトコル規格を利用する。
【００５３】
まず、ネットワーク機器１２０は融合機１に蓄積されている蓄積文書のリストおよび文書ＩＤを融合機１から入手しているものとする。ネットワーク機器１２０を操作するユーザは画面上に表示されている蓄積文書のリストから出力を所望する蓄積文書を選択すると共に、蓄積文書の出力にパスワードの入力が必要であればパスワードを入力する。
【００５４】
ステップＳ１１では、ネットワーク機器１２０が、ユーザにより選択された蓄積文書の文書ＩＤおよびパスワードを、ネットワーク１３０およびＮＣＳ３１のｈｔｔｐｄ１４１を介して融合機１の文書管理サービス１４３に送信することでチケット１４５の取得要求を行う。チケット１４５の取得要求は、ＳＯＡＰおよびＸＭＬを利用して行われる。
【００５５】
ステップＳ１１に続いてステップＳ１２に進み、文書管理サービス１４３はネットワーク機器１２０から受信したチケット１４５の取得要求に含まれる文書ＩＤおよびパスワードをＭＣＳ３６に送信し、パスワードの認証要求を行う。パスワード認証要求は、例えば文書ＩＤおよびパスワードを引数としたパスワード認証要求関数「int mcsCheckPassword（unsignedInt DocId, string password）」を用いて行う。ＭＣＳ３６は、文書管理サービス１４３から受信した文書ＩＤおよびパスワードを用いてパスワード認証を行う。
【００５６】
ステップＳ１２に続いてステップＳ１３に進み、ＭＣＳ３６はパスワード認証の結果を文書管理サービス１４３に送信する。パスワード認証の結果は、例えばパスワード認証要求関数の返り値としてＭＣＳ３６から文書管理サービス１４３に送信される。
【００５７】
文書ＩＤのパスワード認証が正常に終了すると、文書管理サービス１４３は図４に表すようなチケットを生成する。図４は、チケットについて説明するための説明図を示す。図４（Ａ）はネットワーク機器１２０と文書管理サービス１４３との間で転送されるチケット１４５の構造体である。チケット１４５は、チケットＩＤ，チケットのデータサイズが格納されている。
【００５８】
また、図４（Ｂ）はチケット１４５を照合するための表１４６である。表１４６は文書管理サービス１４３により保持される。表１４６は、チケット内容情報およびチケット管理情報を含む。チケット内容情報は、チケットＩＤ，チケットの有効期限，ファイル数，文書ＩＤとしてのファイルＩＤとパスワードとが組になった構造体の配列を情報として有している。また、チケット管理情報はカレントのチケット番号，発行チケット数を情報として有している。なお、チケット１４５と表１４６とはチケットＩＤにより関連付けられている。
【００５９】
ステップＳ１４では、文書管理サービス１４３が、生成したチケット１４５をＮＣＳ３１のｈｔｔｐｄ１４１およびネットワーク１３０を介してネットワーク機器１２０に送信する。文書管理サービス１４３からネットワーク機器１２０へのチケット１４５の送信は、ＳＯＡＰおよびＸＭＬを利用して行われる。
【００６０】
ステップＳ１５では、ネットワーク機器１２０が、ステップＳ１４で受信したチケット１４５を融合機１の文書出力サービス１４４に送信し、蓄積文書の出力要求を行う。ネットワーク機器１２０から文書出力サービス１４４への蓄積文書の出力要求は、ＳＯＡＰおよびＸＭＬを利用して行われる。
【００６１】
ステップＳ１５に続いてステップＳ１６に進み、文書出力サービス１４４はステップＳ１５でネットワーク機器１２０から受信したチケット１４５を文書管理サービス１４３に送信し、そのチケット１４５に対応する文書ＩＤの取得要求を行う。文書ＩＤ取得要求は、例えばチケット１４５を引数とした文書ＩＤ取得関数「arrayOfAnyURI getDocumentIdsByThicket(base64Binary ticket)」を用いて行う。
【００６２】
ステップＳ１６に続いてステップＳ１７に進み、文書管理サービス１４３は受信したチケット１４５に含まれるチケットＩＤに応じて表１４６から文書ＩＤを取得し、その文書ＩＤを文書出力サービス１４４に送信する。文書ＩＤは、例えば文書ＩＤ取得関数の返り値として文書管理サービス１４３から文書出力サービス１４４に送信される。
【００６３】
ステップＳ１７に続いてステップＳ１８に進み、文書出力サービス１４４はステップＳ１７で文書管理サービス１４３から受信した文書ＩＤをＤＣＳ３２，ＦＣＳ３４またはＥＣＳ３５に送信し、その文書ＩＤに対応する蓄積文書の出力処理を行う。一例として、文書出力サービス１４４およびＥＣＳ３５が行う蓄積文書印刷処理について図５を参照しつつ説明する。
【００６４】
図５は、文書出力サービスおよびＥＣＳが行う蓄積文書印刷処理の一例のイベントフロー図を示す。ステップＳ１００では、文書出力サービス１４４が関数を用いてＥＣＳ３５にジョブオープンを要求する。ステップＳ１００に続いてステップＳ１０１に進み、ＥＣＳ３５は関数の返り値としてジョブＩＤを文書出力サービス１４４に送信する。
【００６５】
ステップＳ１０１に続いてステップＳ１０２に進み、文書出力サービス１４４は関数を用いてＥＣＳ３５にジョブ動作モードの設定を要求する。ステップＳ１０２に続いてステップＳ１０３に進み、ＥＣＳ３５は関数の返り値としてジョブ動作モードの設定の成功または失敗を文書出力サービス１４４に送信する。
【００６６】
ステップＳ１０３に続いてステップＳ１０４に進み、ＥＣＳ３５はイベントで実行可否通知を文書出力サービス１４４に送信する。ステップＳ１０４に続いてステップＳ１０５に進み、文書出力サービス１４４は関数を用いてＥＣＳ３５にジョブエントリを要求する。ステップＳ１０５に続いてステップＳ１０６に進み、ＥＣＳ３５は関数の返り値としてジョブエントリの成功または失敗を文書出力サービス１４４に送信する。
【００６７】
ステップＳ１０６に続いてステップＳ１０７に進み、ＥＣＳ３５はイベントで実行可否通知を文書出力サービス１４４に送信する。ステップＳ１０７に続いてステップＳ１０８に進み、文書出力サービス１４４は関数を用いてＥＣＳ３５にジョブ開始を要求する。
【００６８】
ステップＳ１０８に続いてステップＳ１０９に進み、ＥＣＳ３５はイベントでジョブ終了通知および終了したジョブのジョブＩＤを文書出力サービス１４４に送信する。ステップＳ１０９に続いてステップＳ１１０に進み、文書出力サービス１４４が関数を用いてＥＣＳ３５にジョブクローズを要求する。例えば図５のようなイベントフローにより、文書出力サービス１４４はステップＳ１７で受信した文書ＩＤに対応する蓄積文書の印刷処理を行うことができる。
【００６９】
ステップＳ１８に続いてステップＳ１９に進み、文書出力サービス１４４は出力処理の結果をＮＣＳ３１のｈｔｔｐｄ１４１およびネットワーク１３０を介してネットワーク機器１２０に送信する。文書出力サービス１４４からネットワーク機器１２０への出力処理の結果の送信は、ＳＯＡＰおよびＸＭＬを利用して行われる。ネットワーク機器１２０は融合機１から受信した出力処理の結果をネットワーク機器１２０の画面上に表示する。
【００７０】
したがって、ユーザはネットワーク機器１２０を操作することにより、融合機１に蓄積されている蓄積文書を容易に出力することが可能である。また、図３の融合機１ではチケット１４５を利用することで蓄積文書のデータ自体を無駄に転送することがなくなり、ハードウェア資源４の浪費を防ぐことができる。
【００７１】
なお、融合機１では文書出力サービス１４４にチケット１４５を転送することで、文書出力サービス１４４にパスワードを知らせることなく認証済みの蓄積文書の出力が可能である。
【００７２】
図６は、本発明による第２実施例の蓄積文書出力方法について説明するための融合機の機能構成図を示す。なお、図６の機能構成図は説明に必要のない機能構成を省略している。
【００７３】
ステップＳ２１では、ネットワーク機器１２０が、融合機１の文書管理サービス１４３とセッションを確立する。文書管理サービス１４３は、文書管理サービスのセッションオブジェクト１５０と対応付けた文書管理サービスのセッションＩＤ１５１を取得する。
【００７４】
また、ネットワーク機器１２０はユーザにより選択された蓄積文書の文書ＩＤおよびパスワードを、ネットワーク１３０およびＮＣＳ３１のｈｔｔｐｄ１４１を介して融合機１の文書管理サービス１４３に送信することでチケット１４５の取得要求を行う。
【００７５】
ステップＳ２１に続いてステップＳ２２に進み、文書管理サービス１４３はネットワーク機器１２０から受信したチケット１４５の取得要求に含まれる文書ＩＤおよびパスワードをＭＣＳ３６に送信し、パスワードの認証要求を行う。ＭＣＳ３６は、文書管理サービス１４３から受信した文書ＩＤおよびパスワードを用いてパスワード認証を行う。
【００７６】
ステップＳ２２に続いてステップＳ２３に進み、ＭＣＳ３６はパスワード認証の結果を文書管理サービス１４３に送信する。文書ＩＤのパスワード認証が正常に終了すると、文書管理サービス１４３はチケット１４５を生成する。
【００７７】
ステップＳ２４では、文書管理サービス１４３が、生成したチケット１４５および文書管理サービスのセッションＩＤ１５１をＨＴＴＰセッションＩＤ１５３と対応付けてＨＴＴＰのセッションオブジェクト１５２に格納する。ステップＳ２４に続いてステップＳ２５に進み、文書管理サービス１４３はＨＴＴＰのセッションオブジェクト１５２と対応付けたＨＴＴＰセッションＩＤ１５３をＮＣＳ３１のｈｔｔｐｄ１４１およびネットワーク１３０を介してネットワーク機器１２０に送信する。
【００７８】
ステップＳ２６では、ネットワーク機器１２０が、ステップＳ２５で受信したＨＴＴＰセッションＩＤ１５３を利用して融合機１の文書出力サービス１４４に対し、蓄積文書の出力要求を行う。
【００７９】
ステップＳ２６に続いてステップＳ２７に進み、文書出力サービス１４４はステップＳ２６でネットワーク機器１２０から受信したＨＴＴＰセッションＩＤ１５３を参照し、そのＨＴＴＰセッションＩＤ１５３に対応するＨＴＴＰのセッションオブジェクト１５２からチケット１４５および文書管理サービスのセッションＩＤ１５１を取得する。
【００８０】
このとき、文書出力サービス１４４はステップＳ２５でＨＴＴＰセッションＩＤ１５３を受信したネットワーク機器１２０と、ステップＳ２６でＨＴＴＰセッションＩＤ１５３を送信してきたネットワーク機器１２０とが同じであることを確認し、異なるネットワーク機器１２０からの蓄積文書の出力要求を許可しないようにしてもよい。
【００８１】
ステップＳ２７に続いてステップＳ２８に進み、文書出力サービス１４４はステップＳ２７で取得したチケット１４５および文書管理サービスのセッションＩＤ１５１を文書管理サービス１４３に送信し、そのチケット１４５に対応する文書ＩＤの取得要求を行う。
【００８２】
このとき、文書管理サービス１４３は受信した文書管理サービスのセッションＩＤ５１と対応付けられている文書管理サービスのセッションオブジェクト１５０を確認し、該当しない文書管理サービスのセッションＩＤ５１であれば文書ＩＤの取得要求を許可しないようにしてもよい。
【００８３】
ステップＳ２８に続いてステップＳ２９に進み、文書管理サービス１４３は受信したチケット１４５に含まれるチケットＩＤに応じて表１４６から文書ＩＤを取得し、その文書ＩＤを文書出力サービス１４４に送信する。
【００８４】
なお、文書出力サービス１４４が文書管理サービス１４３から文書ＩＤを取得した後のステップＳ３０〜Ｓ３１の処理は図３のステップＳ１８〜Ｓ１９の処理と同様であるため、説明を省略する。
【００８５】
したがって、ユーザはネットワーク機器１２０を操作することにより、融合機１に蓄積されている蓄積文書を容易に出力することが可能である。また、図６の融合機１ではチケット１４５を利用することで蓄積文書のデータ自体を無駄に転送することがなくなり、ハードウェア資源４の浪費を防ぐことができる。
【００８６】
なお、融合機１では文書出力サービス１４４にチケット１４５を転送することで、文書出力サービス１４４にパスワードを知らせることなく認証済みの蓄積文書の出力が可能である。
【００８７】
図７は、本発明による第３実施例の蓄積文書出力方法について説明するための融合機の機能構成図を示す。なお、図７の機能構成図は説明に必要のない機能構成を省略している。
【００８８】
ステップＳ４１〜Ｓ４３の処理は、図６のステップＳ２１〜Ｓ２３の処理と同様であるので説明を省略する。ステップＳ４４に進み、文書管理サービス１４３は生成したチケット１４５および文書管理サービスのセッションＩＤ１５１をＮＣＳ３１のｈｔｔｐｄ１４１およびネットワーク１３０を介してネットワーク機器１２０に送信する。
【００８９】
ステップＳ４５では、ネットワーク機器１２０が、ステップＳ４４で受信したチケット１４５および文書管理サービスのセッションＩＤ１５１を利用して融合機１の文書出力サービス１４４に対し、蓄積文書の出力要求を行う。
【００９０】
ステップＳ４５に続いてステップＳ４６に進み、文書出力サービス１４４はステップＳ４５で取得したチケット１４５および文書管理サービスのセッションＩＤ１５１を文書管理サービス１４３に送信し、そのチケット１４５に対応する文書ＩＤの取得要求を行う。
【００９１】
このとき、文書管理サービス１４３は受信した文書管理サービスのセッションＩＤ５１と対応付けられている文書管理サービスのセッションオブジェクト１５０を確認し、該当しない文書管理サービスのセッションＩＤ５１であれば文書ＩＤの取得要求を許可しないようにしてもよい。
【００９２】
なお、文書管理サービス１４３が文書出力サービス１４４からチケット１４５および文書管理サービスのセッションＩＤ１５１を受信した後のステップＳ４７〜Ｓ４９の処理は、図６のステップＳ２９〜Ｓ３１の処理と同様であるので説明を省略する。
【００９３】
したがって、ユーザはネットワーク機器１２０を操作することにより、融合機１に蓄積されている蓄積文書を容易に出力することが可能である。また、図７の融合機１ではチケット１４５を利用することで蓄積文書のデータ自体を無駄に転送することがなくなり、ハードウェア資源４の浪費を防ぐことができる。
【００９４】
なお、融合機１では文書出力サービス１４４にチケット１４５を転送することで、文書出力サービス１４４にパスワードを知らせることなく認証済みの蓄積文書の出力が可能である。
【００９５】
本発明は上記の実施例に限定されるものではなく、本発明の範囲内で種々の変形や変更が可能である。
【００９６】
【発明の効果】
上述の如く、本発明によれば、文書管理サービスが証明情報を生成し、その証明情報を用いることにより、蓄積文書に対する認証機能を共有できる。また、証明情報を用いることで、画像形成装置のユーザサービス間で無駄に蓄積文書を転送させる必要がなくなるため、画像形成装置のリソースを浪費することなく蓄積情報の出力が可能となる。
【００９７】
【図面の簡単な説明】
【図１】本発明による融合機の一実施例の構成図である。
【図２】本発明による融合機の一実施例のハードウェア構成図である。
【図３】本発明による第１実施例の蓄積文書出力方法について説明するための融合機の機能構成図である。
【図４】チケットについて説明するための説明図である。
【図５】文書出力サービスおよびＥＣＳが行う蓄積文書印刷処理の一例のイベントフロー図である。
【図６】本発明による第２実施例の蓄積文書出力方法について説明するための融合機の機能構成図である。
【図７】本発明による第３実施例の蓄積文書出力方法について説明するための融合機の機能構成図である。
【符号の説明】
１    融合機
２    ソフトウェア群
３    融合機起動部
４    ハードウェア資源
５    アプリケーション層
６    プラットフォーム
７    共有ファンクション層
８    ラッピング層
９    コントロールサービス層
１０    ハンドラ層
３１    ネットワークコントロールサービス（ＮＣＳ）
３２    デリバリーコントロールサービス（ＤＣＳ）
３４    ファックスコントロールサービス（ＦＣＳ）
３５    エンジンコントロールサービス（ＥＣＳ）
３６    メモリコントロールサービス
６０    コントローラ
８０    オペレーションパネル
８１    ファックスコントロールユニット（ＦＣＵ）
８２    エンジン部
８３    プロッタ
１２０    ネットワーク機器
１４１    ｈｔｔｐｄ（HyperText Transfer Protocol Daemon）
１４３    文書管理サービス
１４４    文書出力サービス
１４５    チケット
１４６    表
１５０    文書管理サービスのセッションオブジェクト
１５１    文書管理サービスのセッションＩＤ
１５２    ＨＴＴＰのセッションオブジェクト
１５３    ＨＴＴＰセッションＩＤ
【図１】
0004050170.tif 000002
【図２】
0004050170.tif 000003
【図３】
0004050170.tif 000004
【図４】
0004050170.tif 000005
【図５】
0004050170.tif 000006
【図６】
0004050170.tif 000007
【図７】
0004050170.tif 000008